(57)【特許請求の範囲】
【請求項１】
水道から供給された水を吐水させる吐水装置であって、
吐水装置本体と、
この吐水装置本体の内部に形成され、上記水道に接続された給水管路と、
泡沫状の空気を含んだ、幅広に分布する泡沫シャワー吐水を形成するように、上記給水管路に連通して設けられた泡沫シャワー吐水部と、
この泡沫シャワー吐水部の少なくとも前方に分布するように配列された吐水口を備え、上記泡沫シャワー吐水の少なくとも前方を覆うように、上記泡沫シャワー吐水よりも細い線状の整流シャワー吐水を形成する整流シャワー吐水部と、
を有し、
上記泡沫シャワー吐水部は、幅広に分布する多数の小径吐水口が形成された細流吐水部と、この細流吐水部の上記小径吐水口から吐出された複数の線状の流れを合流させることにより空気を巻き込んで上記泡沫シャワー吐水を形成する泡沫形成手段と、を有し、上記整流シャワー吐水部は、上記細流吐水部から吐出された上記線状の流れをそのまま吐出させることにより上記整流シャワー吐水を形成することを特徴とする吐水装置。
【請求項２】
さらに、上記泡沫シャワー吐水部の後方に設けられ、上記泡沫シャワー吐水に光を照射する照明手段を有する請求項１記載の吐水装置。
【請求項３】
上記細流吐水部の上記小径吐水口は、金属プレートにエッチング加工を施すことにより形成されている請求項１又は２記載の吐水装置。
【請求項４】
さらに、上記金属プレートと上記吐水装置本体との間に配置された金属プレート用パッキンと、上記金属プレートを上記金属プレート用パッキンに押し付ける押し当て部材と、を有する請求項３記載の吐水装置。
【請求項５】
水道から供給された水を吐水させる吐水装置であって、
吐水装置本体と、
この吐水装置本体の内部に形成され、上記水道に接続された給水管路と、
この給水管路から供給された水を吐出させる多数の小径吐水口が形成された細流吐水部、及びこの細流吐水部の上記小径吐水口から吐出された複数の線状の流れを合流させることにより空気を巻き込んで泡沫シャワー吐水を形成する泡沫形成手段を備えた泡沫シャワー吐水部と、
この泡沫シャワー吐水部の少なくとも前方に位置するように配置され、上記細流吐水部から吐出された線状の流れをそのまま吐出させ、上記泡沫シャワー吐水の少なくとも前方を覆う整流シャワー吐水を形成する整流シャワー吐水部と、
を有することを特徴とする吐水装置。
【発明の詳細な説明】
【技術分野】
【０００１】
本発明は吐水装置に関し、特に、水道から供給された水を吐水させる吐水装置に関する。
【背景技術】
【０００２】
実開平５−３０２５７号公報（特許文献１）には、流し台の水栓装置が記載されている。この水栓装置は、一列に並べられた多数の噴水口を有し、この多数の噴水口から吐出される滝状のシャワー吐水を形成している。このように、幅広滝状のシャワー吐水により、大きな洗い物でも手数をかけずに容易に洗うことを可能にしている。
【０００３】
【特許文献１】実開平５−３０２５７号公報
【発明の開示】
【発明が解決しようとする課題】
【０００４】
しかしながら、実開平５−３０２５７号公報記載の水栓装置のように、幅広滝状のシャワー吐水を形成するために、大量の水道水が消費されてしまうという問題がある。水道水の消費量を減少させるには各噴水口の孔径を絞ることが考えられるが、小径の噴水口から吐出されるシャワー吐水では水流にボリューム感が乏しく、手を洗う際等の使用感が悪くなるという問題がある。
【０００５】
一方、水流のボリューム感を確保しながら節水を行う技術として、水流の中に空気の泡を混入させながら吐水させる泡沫吐水が知られている。しかしながら、泡沫吐水をシャワー状のものに用いると、空気を含む容積が小さいため、水流中の空気の泡は吐水口から吐出されるとすぐに抜け出てしまい、洗面ボウルや流し台のシンクに流下したとき激しい水跳ねを起こすという問題がある。
【０００６】
従って、本発明は、節水と水流のボリューム感を確保しながら、激しい水跳ねを防止することができる吐水装置を提供することを目的としている。
【課題を解決するための手段】
【０００７】
上述した課題を解決するために、本発明は、水道から供給された水を吐水させる吐水装置であって、吐水装置本体と、この吐水装置本体の内部に形成され、水道に接続された給水管路と、泡沫状の空気を含んだ、幅広に分布する泡沫シャワー吐水を形成するように、給水管路に連通して設けられた泡沫シャワー吐水部と、この泡沫シャワー吐水部の少なくとも前方に分布するように配列された吐水口を備え、泡沫シャワー吐水の少なくとも前方を覆うように、泡沫シャワー吐水よりも細い線状の整流シャワー吐水を形成する整流シャワー吐水部と、を有し、泡沫シャワー吐水部は、幅広に分布する多数の小径吐水口が形成された細流吐水部と、この細流吐水部の小径吐水口から吐出された複数の線状の流れを合流させることにより空気を巻き込んで泡沫シャワー吐水を形成する泡沫形成手段と、を有し、整流シャワー吐水部は、細流吐水部から吐出された線状の流れをそのまま吐出させることにより整流シャワー吐水を形成することを特徴としている。
【０００８】
このように構成された本発明においては、水道から供給された水は、吐水装置本体の内部に形成された給水管路を通って泡沫シャワー吐水部に到達し、幅広に分布する線状の泡沫シャワー吐水が形成される。また、泡沫シャワー吐水部の少なくとも前方に分布するように配列された吐水口を備えた整流シャワー吐水部は、泡沫シャワー吐水の少なくとも前方を覆うように、泡沫シャワー吐水よりも細い線状の整流シャワー吐水を形成する。
【０００９】
このように構成された本発明によれば、幅広に分布する泡沫シャワー吐水により水流のボリューム感を確保すると共に、泡沫シャワー吐水の少なくとも前方を覆うように泡沫シャワー吐水よりも細い線状の整流シャワー吐水が形成されているので、細い線状であって水跳ねの少ない整流シャワー吐水により、泡沫シャワー吐水から空気が抜けて洗面ボウル等に流下したときに生じる水跳ねが使用者の側へ飛び散るのを防止することができる。さらに、このように構成された本発明によれば、細流吐水部の小径吐水口からの吐水に基づいて、泡沫シャワー吐水及び整流シャワー吐水を形成することができる。また、各小径吐水口の口径を同一に形成した場合には、泡沫シャワー吐水部及び整流シャワー吐水部から偏りなく均一に吐水させることができる。
【００１０】
本発明において、好ましくは、さらに、泡沫シャワー吐水部の後方に設けられ、泡沫シャワー吐水に光を照射する照明手段を有する。
このように構成された本発明によれば、照明手段から照射された光が、泡沫シャワー吐水により乱反射されるので、幅方向に亘って均等に光る吐水を得ることができ、吐水を意匠性に優れたものにすることができる。
【００１３】
本発明において、好ましくは、細流吐水部の小径吐水口は、金属プレートにエッチング加工を施すことにより形成されている。
このように構成された本発明によれば、小径吐水口を容易に形成することができる。
【００１４】
本発明において、好ましくは、さらに、金属プレートと吐水装置本体との間に配置された金属プレート用パッキンと、金属プレートを金属プレート用パッキンに押し付ける押し当て部材と、を有する。
このように構成された本発明によれば、金属プレートと吐水装置本体の間の水密性を、簡単な構造により確保することができる。
【００１５】
また、本発明は、水道から供給された水を吐水させる吐水装置であって、吐水装置本体と、この吐水装置本体の内部に形成され、水道に接続された給水管路と、この給水管路から供給された水を吐出させる多数の小径吐水口が形成された細流吐水部、及びこの細流吐水部の小径吐水口から吐出された複数の線状の流れを合流させることにより空気を巻き込んで泡沫シャワー吐水を形成する泡沫形成手段を備えた泡沫シャワー吐水部と、この泡沫シャワー吐水部の少なくとも前方に位置するように配置され、細流吐水部から吐出された線状の流れをそのまま吐出させ、泡沫シャワー吐水の少なくとも前方を覆う整流シャワー吐水を形成する整流シャワー吐水部と、を有することを特徴としている。
【発明の効果】
【００１６】
本発明の吐水装置によれば、節水と水流のボリューム感を確保しながら、激しい水跳ねを防止することができる。
【発明を実施するための最良の形態】
【００１７】
次に、添付図面を参照して、本発明の好ましい実施形態を説明する。
まず、図１乃至図４を参照して、本発明の第１実施形態による吐水装置を説明する。図１は、本発明の第１実施形態による吐水装置が組み込まれた洗面台全体を示す斜視図である。図２は、洗面台に組み込まれた本実施形態による吐水装置の断面図である。図３は、本実施形態による吐水装置の下面図である。また、図４は、本実施形態による吐水装置の分解斜視図である。
【００１８】
図１に示すように、洗面台１は、洗面ボウル２と、この洗面ボウル２の上方に、洗面ボウル２の後壁面Ｗから突出するように設けられた棚部４と、この棚部４の下面に取り付けられた水栓装置６と、を有する。また、水栓装置６は、シングルレバー水栓８と、水栓装置６のほぼ中央に設けられた本発明の第１実施形態による吐水装置１０と、を有する。
【００１９】
水栓装置６は、シングルレバー水栓８のレバーを操作することにより、吐水装置１０から吐出される湯水の流量及び温度を調整することができるように構成されている。また、吐水装置１０は、その吐水部から前方斜め下方に向けて、洗面ボウル２内に吐水を行うように構成されている。さらに、吐水部の下側の後方には、照明手段であるＬＥＤ照明１２が設けられており、吐出された水流に光を照射するようになっている。なお、本明細書においては、吐水装置１０に対し、後壁面Ｗの側を後方、その反対側を前方と呼んでいる。
【００２０】
次に、図２乃至図４を参照して、本発明の第１実施形態による吐水装置１０の構成を詳細に説明する。
図２に示すように、本実施形態の吐水装置１０は、ＬＥＤ照明１２と、吐水装置本体１４と、この吐水装置本体１４の先端部に設けられた凹部１４ｂに受け入れられた細流吐水部１６と、この細流吐水部１６を覆うように凹部１４ｂに嵌め込まれる吐水部形成部材１８と、を有する。本実施形態の吐水装置１０は、吐水部形成部材１８の中央部からは泡沫状の空気を含んだ泡沫シャワー吐水がなされ、この泡沫シャワー吐水の周囲からは、泡沫シャワー吐水を取り囲むように整流シャワー吐水がなされるように構成されている。従って、吐水部形成部材１８の中央部は泡沫シャワー吐水部２０として機能し、その周囲の部分は整流シャワー吐水部２２として機能する。
【００２１】
ＬＥＤ照明１２は、吐水装置本体１４の下方、泡沫シャワー吐水部２０の後方に配置されており、泡沫シャワー吐水及び整流シャワー吐水に光を照射するように構成されている。
吐水装置本体１４は、その内部に概ね水平方向に延びる給水管路１４ａが形成されている。また、吐水装置本体１４の先端部には、前方、斜め下方に向けて開口した凹部１４ｂが給水管路１４ａに連通するように形成されており、この凹部１４ｂには、細流吐水部１６が受け入れられている。さらに、給水管路１４ａは、シングルレバー水栓８を介して水道及び給湯装置（図示せず）に接続されている。
【００２２】
細流吐水部１６は、図４に示すように、概ね小判型の散水板部１６ａと、その周囲に形成された周縁部１６ｂから形成されている。また、散水板部１６ａには、多数の小径吐水口１６ｃ、１６ｄが幅広に分布するように形成されている。本実施形態においては、これらの小径吐水口は全て同一直径に形成されているが、周縁部に形成されている小径吐水口１６ｃは、比較的高い密度で分布し、直線状に配列されており、小径吐水口１６ｃに取り囲まれるように形成された小径吐水口１６ｄは、比較的大きな間隔で分布している。後述するように、小径吐水口１６ｃから吐出された線状の流れはそのまま整流シャワー吐水を形成し、小径吐水口１６ｄから吐出された湯水は、泡沫シャワー吐水にされる。さらに、散水板部１６ａの周囲には隆起縁部１６ｅが形成されており、この隆起縁部１６ｅの一部には、切欠部１６ｆが形成されている。吐水時においては、この切欠部１６ｆを介して空気が吸い込まれて泡沫状にされ、泡沫シャワー吐水中に混入される。
【００２３】
吐水部形成部材１８は、図４に示すように、吐水装置本体１４に固定されるフランジ部１８ａと、このフランジ部１８ａの裏側に形成された細流吐水部受入部１８ｂと、フランジ部１８ａの表側に形成されたヘッド部１８ｃから形成されている。フランジ部１８ａは、２本のビス２４により、吐水装置本体１４に固定される概ね小判型のプレートである。また、細流吐水部受入部１８ｂは、細流吐水部１６の側面を取り囲むように形成されている。細流吐水部受入部１８ｂと細流吐水部１６の周縁部１６ｂの間には環状のパッキン２６が配置され、両部材の間の水密性を確保している。さらに、細流吐水部受入部１８ｂは、吐水装置本体１４の凹部１４ｂに受け入れられており、これらの間に配置された環状のパッキン２８により、水密性が確保されている。
【００２４】
ヘッド部１８ｃは、フランジ部１８ａの表側に形成された直方体状の部分であり、直線状の長穴である４本のシャワー通路１８ｄと、これらのシャワー通路１８ｄに囲まれるように配置された泡沫形成手段である複数の泡沫形成ノズル１８ｅが形成されている。また、フランジ部１８ａの一方の端には切欠部１８ｆが形成されている。さらに、周縁部１６ｂに面した部分には、切欠部１８ｆに隣接するように吸気穴１８ｇ（図２）が形成されている。吐水時においては、切欠部１８ｆ、吸気穴１８ｇ、及び細流吐水部１６の切欠部１６ｆを通って空気が吸い込まれ、泡沫状にされ、泡沫シャワー吐水中に混入される。
【００２５】
４本のシャワー通路１８ｄは、各々直線状の長穴であり、長方形を形成するように配置されている。各シャワー通路１８ｄは、細流吐水部１６の散水板部１６ａに形成された小径吐水口１６ｃと整合するように位置決めされている。このため、小径吐水口１６ｃから吐出された多数の線状の水流は、シャワー通路１８ｄを通ってそのまま整流シャワー吐水される。
【００２６】
各泡沫形成ノズル１８ｅは、図２に示すように、概ね円錐状の入口部と、この入口部と連続して形成された円筒部から形成されている。泡沫形成ノズル１８ｅは、その直径が細流吐水部１６の小径吐水口１６ｄよりも大きく形成されており、円錐状の入口部が、夫々複数の小径吐水口１６ｄと整合するように配置されている。本実施形態においては、各泡沫形成ノズル１８ｅは、夫々３つの小径吐水口１６ｄと整合するように形成されている。
【００２７】
次に、本発明の第１実施形態による吐水装置１０の作用を説明する。
まず、吐水装置１０の使用者が、シングルレバー水栓８のレバーを後方に向かって操作すると、シングルレバー水栓８が開放され、水道及び給湯器（図示せず）からの湯水が、吐水装置１０に供給される。吐水装置１０に供給された湯水は、吐水装置本体１４の給水管路１４ａに流入し、凹部１４ｂに到達する。凹部１４ｂに流入した湯水は、細流吐水部１６に形成された小径吐水口１６ｃ、１６ｄから吐出される。ここで、各小径吐水口１６ｃ、１６ｄは、ほぼ同一の直径に形成されているので、各小径吐水口から偏ることなく、ほぼ同一の水勢で湯水が吐出される。
【００２８】
シャワー通路１８ｄと整合するように形成された各小径吐水口１６ｃから吐出された湯水は、そのままシャワー通路１８ｄを通過して、整流シャワー吐水として吐出される。一方、各泡沫形成ノズル１８ｅと整合するように形成された小径吐水口１６ｄから吐出された湯水は、３つの小径吐水口１６ｄから吐出された線状の流れが、１つの泡沫形成ノズル１８ｅの入口部壁面に衝突しながら流入して合流される。この際、エジェクター効果により切欠部１８ｆ、吸気穴１８ｇ、及び切欠部１６ｆを介して空気が吸入され、流入した空気が巻き込まれて泡沫状にされる。泡沫状の空気が混入された湯水は、泡沫形成ノズル１８ｅから泡沫シャワー吐水として吐出される。ここで、泡沫シャワー吐水は３つの小径吐水口１６ｄから吐出された線状の流れが合流されたものであるため、泡沫シャワー吐水の各線状の流れは、整流シャワー吐水の各線状流れよりも太くなっている。
【００２９】
これにより、幅広の滝状に分布する泡沫シャワー吐水を取り囲むように整流シャワー吐水が形成される。泡沫シャワー吐水に混入された泡沫状の空気は、吐水が洗面ボウル２に流下するまでには水流から抜け出ている。しかしながら、泡沫シャワー吐水の周囲には細い線状の整流シャワー吐水が形成されているので、泡沫シャワー吐水が洗面ボウル２に衝突した際に生じる水跳ねは周囲の整流シャワー吐水により遮断され、外部への飛散が防止される。
【００３０】
泡沫シャワー吐水及び整流シャワー吐水の吐水の流量は、シングルレバー水栓８のレバーを前後方向に回動操作することにより変化される。また、シングルレバー水栓８のレバーを左右方向に回動操作することにより吐出される湯水の温度が調節される。さらに、使用者が照明スイッチ（図示せず）を操作すると、ＬＥＤ照明１２が点灯され、泡沫シャワー吐水及び整流シャワー吐水に後方から光が照射される。泡沫シャワー吐水に照射された光は乱反射され、幅方向に亘って均等に光る吐水が実現され、意匠性に優れたものとなる。
【００３１】
本発明の第１実施形態の吐水装置によれば、幅広に分布する泡沫シャワー吐水により水流のボリューム感を確保すると共に、泡沫シャワー吐水の周囲を取り囲むように整流シャワー吐水が形成されているので、激しい水跳ねが整流シャワー吐水の外部に飛散するのを防止することができる。
【００３２】
また、本実施形態の吐水装置によれば、ＬＥＤ照明から照射された光が、泡沫シャワー吐水により乱反射されるので、幅方向に亘って均等に光る吐水を得ることができ、吐水を意匠性に優れたものにすることができる。
【００３３】
さらに、本実施形態の吐水装置によれば、細流吐水部の小径吐水口からの吐水に基づいて、泡沫シャワー吐水及び整流シャワー吐水を形成することができる。また、各小径吐水口の口径が同一に形成されているので、泡沫シャワー吐水部及び整流シャワー吐水部から偏りなく均一に吐水させることができる。
【００３４】
また、上述した実施形態においては、整流シャワー吐水は、泡沫シャワー吐水の周囲を取り囲むように形成されていたが、少なくとも前方のみに整流シャワー吐水が形成されるように吐水装置を構成することもできる。即ち、整流シャワー吐水の吐水口を、泡沫シャワー吐水部の前方に分布するように配列しておき、泡沫シャワー吐水の少なくとも前方が整流シャワー吐水によって覆われるように構成することができる。これにより、吐水装置の使用者の側への水跳ねを防止することができる。
【００３５】
次に、図５乃至図７を参照して、本発明の第２実施形態による吐水装置を説明する。本実施形態の吐水装置は、主に、細流吐水部の構成が上述した第１実施形態とは異なる。従って、ここでは、本発明の第２実施形態の、第１実施形態とは異なる点のみを説明し、同様の点については説明を省略する。図５は、本実施形態の吐水装置を斜め下方から見た斜視図である。図６は、本実施形態の吐水装置の断面図である。また、図７は、本実施形態の吐水装置の分解斜視図である。
【００３６】
図５乃至図７に示すように、本実施形態の吐水装置１１０は、吐水装置本体１１４と、細流吐水部１１６と、吐水部形成部材１１８と、吐水装置本体１１４と細流吐水部１１６の間に配置された金属プレート用パッキン１２６と、細流吐水部１１６と吐水部形成部材１１８の間に配置されたスペーサー１２８と、吐水装置本体１１４に固定される押し当て部材１３０と、を有する。本実施形態の吐水装置１１０は、吐水部形成部材１１８の中央部からは泡沫状の空気を含んだ泡沫シャワー吐水がなされ、この泡沫シャワー吐水の周囲からは、泡沫シャワー吐水を取り囲むように整流シャワー吐水がなされるように構成されている。従って、吐水部形成部材１１８の中央部は泡沫シャワー吐水部１２０として機能し、その周囲の部分は整流シャワー吐水部１２２として機能する。
【００３７】
吐水装置本体１１４は、その内部に給水管路１１４ａが形成されており、その先端部には、凹部１１４ｂが形成されている。この凹部１１４ｂには、金属プレート用パッキン１２６、細流吐水部１１６、スペーサー１２８、吐水部形成部材１１８が、この順序で収容されている。これらの部材を凹部１１４ｂ内に配置した後、押し当て部材１３０を２本のビス１２４により吐水装置本体１１４に固定することにより、各部材が適所に取り付けられる。
【００３８】
細流吐水部１１６は、図７に示すように、長方形状の薄い金属プレートにより構成されている。また、この金属プレートには、エッチング加工により多数の小径吐水口１１６ｃ、１１６ｄが幅広に分布するように形成されている。本実施形態においては、細流吐水部１１６はステンレス製の薄板であり、小径吐水口は全て同一直径に形成されている。また、長方形の中央部に分布するように形成された小径吐水口１１６ｄは比較的大きな間隔で分布し、これを取り囲むように長方形状に分布する小径吐水口１１６ｃは、比較的高い密度で分布している。小径吐水口１１６ｃから吐出された線状の流れはそのまま整流シャワー吐水を形成し、小径吐水口１１６ｄから吐出された湯水は、泡沫シャワー吐水にされる。
【００３９】
吐水部形成部材１１８は、図７に示すように、長方形の比較的厚いプラスチック製の板であり、直線状の長穴である４本のシャワー通路１１８ｄと、これらのシャワー通路１１８ｄに囲まれるように配置された泡沫形成手段である複数の泡沫形成ノズル１１８ｅが形成されている。また、吐水部形成部材１１８の一方の端には切欠部１１８ｆが形成されている。吐水時においては、この切欠部１１８ｆを通って空気が吸い込まれ、泡沫状にされ、泡沫シャワー吐水中に混入される。
【００４０】
４本のシャワー通路１１８ｄは、各々直線状の長穴であり、長方形を形成するように配置されている。各シャワー通路１１８ｄは、細流吐水部１１６に形成された小径吐水口１１６ｃと整合するように位置決めされている。このため、小径吐水口１１６ｃから吐出された多数の線状の水流は、シャワー通路１１８ｄを通ってそのまま整流シャワー吐水される。
【００４１】
各泡沫形成ノズル１１８ｅは、図６に示すように、概ね円錐状の入口部と、この入口部と連続して形成された円筒部から形成されている。泡沫形成ノズル１１８ｅは、その直径が細流吐水部１１６の小径吐水口１１６ｄよりも大きく形成されており、円錐状の入口部が、夫々複数の小径吐水口１１６ｄと整合するように配置されている。本実施形態においては、各泡沫形成ノズル１１８ｅは、夫々２つの小径吐水口１１６ｄと整合するように形成されている。
【００４２】
金属プレート用パッキン１２６は、図７に示すように、長方形の枠状のパッキンであり、吐水装置本体１１４の凹部１１４ｂと細流吐水部１１６の間に挟まれて、これらの間の水密性を確保するように構成されている。
【００４３】
スペーサー１２８は、一辺が開放された長方形枠状の部材であり、細流吐水部１１６と吐水部形成部材１１８の間に隙間を形成するように構成されている。長方形枠の開放された部分は、吐水部形成部材１１８の切欠部１１８ｆに隣接するように配置され、吐水時においては、この開放された部分を通って空気が吸い込まれる。
【００４４】
押し当て部材１３０は、中央に長方形の開口１３０ａが形成された概ね長方形の板であり、２本のビス１２４により吐水装置本体１１４の底面に固定されている。これにより、細流吐水部１１６が金属プレート用パッキン１２６に押し付けられ、金属プレート用パッキン１２６は、吐水装置本体１１４の凹部１１４ｂの底面に押し付けられる。また、吐水部形成部材１１８を通過した泡沫シャワー吐水及び整流シャワー吐水は、開口１３０ａを通って吐出される。
【００４５】
次に、本発明の第２実施形態による吐水装置１１０の作用を説明する。
まず、水道及び給湯器（図示せず）から湯水が供給され、供給された湯水は、吐水装置本体１１４の給水管路１１４ａに流入し、凹部１１４ｂに到達する。凹部１１４ｂに流入した湯水は、細流吐水部１１６に形成された小径吐水口１１６ｃ、１１６ｄから吐出される。
【００４６】
シャワー通路１１８ｄと整合する各小径吐水口１１６ｃから吐出された湯水は、そのまま整流シャワー吐水として吐出される。一方、各泡沫形成ノズル１１８ｅと整合するように形成された小径吐水口１１６ｄから吐出された湯水は、２つの小径吐水口１１６ｄから吐出された線状の流れが、１つの泡沫形成ノズル１１８ｅに流入して合流される。この際、切欠部１１８ｆ及びスペーサー１２８の開放部を介して空気が吸入され、流入した空気が巻き込まれて泡沫状にされる。泡沫状の空気が混入された湯水は、泡沫形成ノズル１１８ｅから泡沫シャワー吐水として吐出される。
【００４７】
これにより、幅広の滝状に分布する泡沫シャワー吐水を取り囲むように整流シャワー吐水が形成され、泡沫シャワー吐水が洗面ボウル２に衝突した際に生じる水跳ねは周囲の整流シャワー吐水により遮断され、外部への飛散が防止される。
【００４８】
本発明の第２実施形態の吐水装置によれば、細流吐水部が金属プレートにより構成され、その小径吐水口が金属プレートにエッチング加工を施すことにより形成されているので、口径の小さい吐水口を容易に形成することができる。
【００４９】
また、本実施形態の吐水装置によれば、金属プレートと吐水装置本体の間に金属プレート用パッキンが配置され、押し当て部材により金属プレートが金属プレート用パッキンに押し付けられているので、薄い金属プレートに対しても簡単な構造により水密性を確保することができる。
【００５０】
以上、本発明の好ましい実施形態を説明したが、上述した実施形態に種々の変更を加えることができる。特に、上述した実施形態においては、照明手段としてＬＥＤ照明が使用されていたが、白熱電球、蛍光灯等、任意の照明を照明手段として使用することができる。
【図面の簡単な説明】
【００５１】
【図１】本発明の第１実施形態による吐水装置が組み込まれた洗面台全体を示す斜視図である。
【図２】洗面台に組み込まれた吐水装置の断面図である。
【図３】吐水装置の下面図である。
【図４】吐水装置の分解斜視図である。
【図５】本発明の第２実施形態による吐水装置を斜め下方から見た斜視図である。
【図６】吐水装置の断面図である。
【図７】吐水装置の分解斜視図である。
【符号の説明】
【００５２】
１        本発明の第１実施形態による吐水装置が組み込まれた洗面台
２        洗面ボウル
４        棚部
６        水栓装置
８        シングルレバー水栓
１０      本発明の第１実施形態による吐水装置
１２      ＬＥＤ照明（照明手段）
１４      吐水装置本体
１４ａ    給水管路
１４ｂ    凹部
１６      細流吐水部
１６ａ    散水板部
１６ｂ    周縁部
１６ｃ、１６ｄ  小径吐水口
１６ｅ    隆起縁部
１６ｆ    切欠部
１８      吐水部形成部材
１８ａ    フランジ部
１８ｂ    細流吐水部受入部
１８ｃ    ヘッド部
１８ｄ    シャワー通路
１８ｅ    泡沫形成ノズル（泡沫形成手段）
２０      泡沫シャワー吐水部
２２      整流シャワー吐水部
２４      ビス
２６      パッキン
２８      パッキン
１１０    本発明の第２実施形態の吐水装置
１１４    吐水装置本体
１１４ａ  給水管路
１１４ｂ  凹部
１１６    細流吐水部（金属プレート）
１１６ｃ、１１６ｄ  小径吐水口
１１８    吐水部形成部材
１１８ｄ  シャワー通路
１１８ｅ  泡沫形成ノズル
１１８ｆ  切欠部
１２０    泡沫シャワー吐水部
１２２    整流シャワー吐水部
１２４    ビス
１２６    金属プレート用パッキン
１２８    スペーサー
１３０    押し当て部材
【図１】
0005088680.tif 000002
【図２】
0005088680.tif 000003
【図３】
0005088680.tif 000004
【図４】
0005088680.tif 000005
【図５】
0005088680.tif 000006
【図６】
0005088680.tif 000007
【図７】
0005088680.tif 000008